(57)【要約】【課題】ＩＣカードに対する画像の記録動作と電子データの書込み動作に関連して、ＩＣカードを給送する給送タイミングを最適に設定することにより、ＩＣカードの発行効率を向上させること。【解決手段】搬送部３０２のベルト３０２Ｄによって、先行のＩＣカード２０１−１と後続のＩＣカード２０１−２を搬送方向Ｙに搬送する。先行のＩＣカード２０１−１に対し、通信アンテナ３０３によって電子情報の書き込みが終了してから、記録ヘッドによって画像の記録が終了するまで間の第１の時間を算出する。その算出された第１の時間に基づいて、後続のＩＣカード２０１−２をベルト３０２Ｄ上に給送する給送タイミングを変更する。【選択図】図１２
2012146181.tif 000002
【特許請求の範囲】
【請求項１】
電子情報を記憶する記憶部を有する複数のＩＣカードを、トレイ上から１枚ずつ給送する給送手段と、
前記給送手段によって給送されたＩＣカードが載置される無端ベルトを備え、前記無端ベルト上に載置された前記ＩＣカードを所定の搬送方向に沿って搬送する搬送手段と、
前記搬送手段によって所定の電子情報書込み位置に搬送された前記ＩＣカードの前記記憶部に対して、前記電子情報を書込む書込み手段と、
前記搬送手段によって前記電子情報書込み位置よりも前記搬送方向の下流側にある所定の画像記録位置に搬送された前記ＩＣカードの画像記録領域に対して、画像を記録する記録手段と、
前記給送手段が前記搬送手段に対して前記ＩＣカードを給送する給送タイミングを制御する制御手段と、
を備えたＩＣカード用記録装置であって、
前記制御手段は、前記搬送手段によって先に搬送される先行のＩＣカードに対する前記電子情報の書き込みが終了してから、前記先行のＩＣカードに対する前記画像の記録が終了するまでの間の第１の時間を算出し、算出された前記第１の時間に基づいて、前記搬送手段によって前記先行のＩＣカードの後に搬送される後続のＩＣカードを前記給送手段から前記搬送手段に給送する前記給送タイミングを変更することを特徴とするＩＣカード用記録装置。
【請求項２】
前記制御手段は、前記後続のＩＣカードを前記トレイ上から前記電子情報書込み位置まで搬送するために要する第２の時間を算出し、前記第１の時間が前記第２の時間未満のときは、前記先行のＩＣカードを前記電子情報書込み位置から前記画像記録位置に向かって搬送させる時期を前記後続のＩＣカードの前記給送タイミングとし、前記第１の時間が前記第２の時間以上のときは、前記先行のＩＣカードを前記電子情報書込み位置から前記画像記録位置に向かって搬送させてから、前記第１の時間と前記第２の時間との差分の時間が経過した時期を、前記後続のＩＣカードの前記給送タイミングとすることを特徴とする請求項１に記載のＩＣカード用記録装置。
【請求項３】
前記制御手段は、前記後続のＩＣカードのサイズに関する情報と、前記後続のＩＣカードに記録する画像のサイズに関する情報と、に基づいて、前記後続のＩＣカードの前記給送タイミングを制御することを特徴とする請求項１または請求項２に記載のＩＣカード用記録装置。
【請求項４】
電子情報を記憶する記憶部を有する複数のＩＣカードを、トレイ上から１枚ずつ給送する給送手段と、
前記給送手段によって給送されたＩＣカードが載置される無端ベルトを備え、前記無端ベルト上に載置された前記ＩＣカードを所定の搬送方向に沿って搬送する搬送手段と、
前記搬送手段によって所定の画像記録位置に搬送された前記ＩＣカードの画像記録領域に対して、画像を記録する記録手段と、
前記搬送手段によって前記画像記録位置よりも前記搬送方向の下流側にある所定の電子情報書込み位置に搬送された前記ＩＣカードの前記記憶部に対して、前記電子情報を書込む書込み手段と、
前記給送手段が前記搬送手段に対して前記ＩＣカードを給送する給送タイミングを制御する制御手段と、
を備えたＩＣカード用記録装置であって、
前記制御手段は、前記搬送手段によって先に搬送される先行のＩＣカードに対する前記画像の記録が終了してから、前記先行のＩＣカードに対する前記電子情報の書込みが終了するまでの間の第１の時間を算出し、算出された前記第１の時間に基づいて、前記搬送手段によって前記先行のＩＣカードの後に搬送される後続のＩＣカードを前記給送手段から前記搬送手段に給送する前記給送タイミングを変更することを特徴とするＩＣカード用記録装置。
【請求項５】
前記制御手段は、前記後続のＩＣカードを前記トレイ上から前記画像記録位置まで搬送するために要する第２の時間を算出し、前記第１の時間が前記第２の時間未満のときは、前記先行のＩＣカードを前記画像記録位置から前記電子情報書込み位置に向かって搬送させる時期を前記後続のＩＣカードの前記給送タイミングとし、前記第１の時間が前記第２の時間以上のときは、前記先行のＩＣカードを前記画像記録位置から前記電子情報書込み位置に向かって搬送させてから、前記第１の時間と前記第２の時間との差分の時間が経過した時期を、前記後続のＩＣカードの前記給送タイミングとすることを特徴とする請求項４に記載のＩＣカード用記録装置。
【請求項６】
前記制御手段は、前記後続のＩＣカードのサイズに関する情報と、前記後続のＩＣカードに記録する画像のサイズに関する情報と、に基づいて、前記後続のＩＣカードの前記給送タイミングを制御することを特徴とする請求項４または請求項５に記載のＩＣカード用記録装置。
【請求項７】
前記搬送手段は、前記ＩＣカードが前記電子情報書込み位置に到達したときに搬送速度を零とすることを特徴とする請求項１乃至請求項６のいずれかに記載のＩＣカード用記録装置。
【請求項８】
前記記録手段は、インクを吐出可能な記録ヘッドを用いて前記ＩＣカードに画像を記録することを特徴とする請求項１乃至請求項７のいずれかに記載のＩＣカード用記録装置。
【請求項９】
前記ＩＣカードが前記搬送手段によって前記電子情報書込み位置および前記画像記録位置まで搬送されたことを検出する検出手段を備えることを特徴とする請求項１乃至請求項８のいずれかに記載のＩＣカード用記録装置。
【発明の詳細な説明】
【技術分野】
【０００１】
本発明は、ＩＣカードに対して電子情報の書込みと画像の記録を行なうＩＣカード用記録装置に関するものである。
【背景技術】
【０００２】
近年、カードの中にＩＣチップを内蔵する、いわゆるＩＣカードは、その利便性や保守性の点から非接触型のＩＣカードとして普及してきている。非接触ＩＣカードからは、カードの表面に記録された画像情報と、ＩＣチップに記憶された電子情報が獲得できるため、個人認証手段、および電子マネー分野における決済手段として注目を浴びている。
【０００３】
ＩＣカードの発行機器としては、ＩＣカードの表面に対する文字や画像などの記録と、ＩＣカードのＩＣチップに対する電子情報の書き込みと、が可能なＩＣカード用記録装置が開発されている。このようなＩＣカード用記録装置は、通信アンテナからの電波によって、ＩＣカードに内蔵されるＩＣチップに電子情報を書き込む電子情報書込み部と、ＩＣカードの表面に画像を記録する記録部と、を備えている。このような記録装置においては、収納部に収納された複数のＩＣカードが一枚ずつ順次給送され、その給送されたＩＣカードは、搬送部によって所定の搬送方向に搬送される。その搬送方向の上流側に備わる電子情報書込み部は、ＩＣカードを搬送中の搬送部が搬送動作を停止したときに、その停止中のＩＣカードに対して電子情報を書込む。また、搬送方向の下流側に備わる記録部は、搬送部によって搬送中のＩＣカードに対して画像を記録する。
【０００４】
このように、収納部に収納された複数のＩＣカードを一枚ずつ順次給送してから搬送する記録装置においては、ＩＣカードを給送してから、次のＩＣカードを給送するまでの間隔（以降、「給送間隔」ともいう）が短い程、ＩＣカードの発行効率は向上する。しかしながら、給送間隔が短くなり過ぎた場合には、先に給送された先行のＩＣカードが記録部において画像が記録されている際に、その後に給送された後続のＩＣカードが電子情報書込み位置に到達することがある。この場合には、搬送装置の搬送動作を一時停止させる必要がある。しかし、先行のＩＣカードに対する画像の記録中に搬送装置の搬送動作が停止するため、その搬送動作の停止時に発生する滑り等の搬送誤差によって、記録画像の画質の劣化を招くおそれがある。そのため、従来のＩＣカードの記録装置は、先行のＩＣカードに対する画像の記録が完了した後に、後続のＩＣカードの給送を開始する構成となっている。
【先行技術文献】
【特許文献】
【０００５】
【特許文献１】特開２００３−１５０９０９号公報
【発明の概要】
【発明が解決しようとする課題】
【０００６】
しかしながら、上記従来のＩＣカード用記録装置は、先行のＩＣカードに対する画像の記録が終了した後に、後続のＩＣカードを給送するため、ＩＣカードの給送間隔が大きくなり、ＩＣカードを発行する効率が低下する虞がある。
【０００７】
本発明の目的は、ＩＣカードに対する画像の記録動作と電子情報の書込み動作に関連して、ＩＣカードを給送する給送タイミングを最適に設定することにより、ＩＣカードを発行する効率を向上させることにある。
【課題を解決するための手段】
【０００８】
本発明のＩＣカード用記録装置は、電子情報を記憶する記憶部を有する複数のＩＣカードを、トレイ上から１枚ずつ給送する給送手段と、前記給送手段によって給送されたＩＣカードが載置される無端ベルトを備え、前記無端ベルト上に載置された前記ＩＣカードを所定の搬送方向に沿って搬送する搬送手段と、前記搬送手段によって所定の電子情報書込み位置に搬送された前記ＩＣカードの前記記憶部に対して、前記電子情報を書込む書込み手段と、前記搬送手段によって前記電子情報書込み位置よりも前記搬送方向の下流側にある所定の画像記録位置に搬送された前記ＩＣカードの画像記録領域に対して、画像を記録する記録手段と、前記給送手段が前記搬送手段に対して前記ＩＣカードを給送する給送タイミングを制御する制御手段と、を備えたＩＣカード用記録装置であって、前記制御手段は、前記搬送手段によって先に搬送される先行のＩＣカードに対する前記電子情報の書き込みが終了してから、前記先行のＩＣカードに対する前記画像の記録が終了するまでの間の第１の時間を算出し、算出された前記第１の時間に基づいて、前記搬送手段によって前記先行のＩＣカードの後に搬送される後続のＩＣカードを前記給送手段から前記搬送手段に給送する前記給送タイミングを変更することを特徴とする。
【０００９】
本発明のＩＣカード用記録装置は、電子情報を記憶する記憶部を有する複数のＩＣカードを、トレイ上から１枚ずつ給送する給送手段と、前記給送手段によって給送されたＩＣカードが載置される無端ベルトを備え、前記無端ベルト上に載置された前記ＩＣカードを所定の搬送方向に沿って搬送する搬送手段と、前記搬送手段によって所定の画像記録位置に搬送された前記ＩＣカードの画像記録領域に対して、画像を記録する記録手段と、前記搬送手段によって前記画像記録位置よりも前記搬送方向の下流側にある所定の電子情報書込み位置に搬送された前記ＩＣカードの前記記憶部に対して、前記電子情報を書込む書込み手段と、前記給送手段が前記搬送手段に対して前記ＩＣカードを給送する給送タイミングを制御する制御手段と、を備えたＩＣカード用記録装置であって、前記制御手段は、前記搬送手段によって先に搬送される先行のＩＣカードに対する前記画像の記録が終了してから、前記先行のＩＣカードに対する前記電子情報の書込みが終了するまでの間の第１の時間を算出し、算出された前記第１の時間に基づいて、前記搬送手段によって前記先行のＩＣカードの後に搬送される後続のＩＣカードを前記給送手段から前記搬送手段に給送する前記給送タイミングを変更することを特徴とする。
【発明の効果】
【００１０】
本発明によれば、先行のＩＣカードに対する電子情報の書込み動作および画像の記録動作に関連して、後続のＩＣカードの給送タイミングを変更することにより、それら先行と後続のＩＣカードの搬送間隔を短縮して、ＩＣカードを効率よく発行することができる。
【図面の簡単な説明】
【００１１】
【図１】本発明の第１の実施形態の記録装置を備えた記録システムの概略構成図である。
【図２】ＩＣカードの構成例を説明するための模式図である
【図３】図１における記録装置の内部構成を説明するための概略図である。
【図４】図１の記録装置における電子情報書込み位置と、画像の記録位置と、の関係の説明図である。
【図５】図１の記録装置における給紙部を模式的に示す斜視図である。
【図６】図５の給紙部の動作を説明するための概略側面図である。
【図７】図５の給紙部の動作を説明するための概略側面図である。
【図８】図１における記録装置の制御系のブロック構成図である。
【図９】図１におけるホストコンピューターの機能を説明するための正面図である。
【図１０】図１の記録装置において用いる制御コマンドの説明図である。
【図１１】（ａ）および（ｂ）は、異なる記録画像に対応する制御コマンドの説明図である。
【図１２】図１の記録装置におけるＩＣカードの給送タイミングの説明図である。
【図１３】図１の記録装置における給送タイミング決定処理を説明するためのフローチャートである。
【図１４】図１の記録装置における給送制御処理を説明するためのフローチャートである。
【図１５】（ａ）および（ｂ）は、異なる記録画像に対応する制御コマンドの説明図である。
【図１６】（ａ）は、図１５（ａ）の画像の記録終了タイミングの説明図、（ｂ）は、図１５（ｂ）の画像の記録終了タイミングの説明図である。
【図１７】（ａ）は、記録画像の一例の説明図、（ｂ），（ｃ），（ｄ），（ｅ）は、その記録画像のイメージデータの説明図である。
【図１８】本発明の第３の実施形態における記録装置の内部構成を説明するための概略図である。
【図１９】図１８の記録装置における電子情報書込み位置と、画像の記録位置と、の関係の説明図である。
【図２０】図１８の記録装置におけるＩＣカードの給送タイミングの説明図である。
【図２１】図１８の記録装置における給送タイミング決定処理を説明するためのフローチャートである。
【発明を実施するための形態】
【００１２】
以下、本発明を具体化した実施形態について図面を参照して詳細に説明する。
（第１の実施形態）
図１は、本実施形態の記録装置にホストコンピューターを接続した記録システムの説明図である。本例のＩＣカード用記録装置は、長尺のインクジェット記録ヘッド（以下、「ラインヘッド」ともいう）を用いて、インクジェット方式によりカラー画像の記録が可能である。記録装置１０１とホストコンピューター（ホスト装置）ＰＣはプリンタケーブル１０７で接続されており、記録装置１０１は、ホストコンピューターＰＣにて処理された各種データを後述する記録媒体としてのＩＣカードに記録する。本例の記録装置１０１は、ＩＣカード以外の記録媒体に対しても画像の記録が可能であり、この場合には、通常のプリンタとして機能する。
【００１３】
記録装置１０１には、後述の記録ヘッド、通信アンテナ、及び搬送部を覆う開閉可能な上部カバー１０３と、ラインヘッドに供給されるインクを貯蓄する後述のタンク部を開閉するための前カバー１０４と、が備えられている。給送部１０９は、トレイ１０２に積載されたＩＣカードを記録部１０８に給送する。排出部１１０は、記録部１０８から搬送されるＩＣカードを格納する。１０５は記録装置の電源スイッチである。操作パネル１０６には、記録装置における操作環境の設定を行なうための入力部、および記録装置のエラー発生状況をユーザーに知らせる手段として、エラーランプ１１１およびＬＣＤ１１２が備えられている。
【００１４】
図２はＩＣカードの模式図である。本例のＩＣカード２０１におけるＲＦＩＤタグ２０５は、電子情報を記憶するための不揮発性メモリ（記憶部）を搭載したＩＣチップ２０３と、ＩＣチップ２０３に接続されたループアンテナ２０２と、を含む。さらに、ＲＦＩＤタグ２０５は、紙もしくはＰＥＴ樹脂のフィルム２０４によって覆われている。ＩＣカード２０１は電源を持たず、記録装置１０１に配設された後述の通信アンテナから送信されて、ル−プアンテナ２０２で受信される電波の受信電力を利用して電力を発生する。その電力をＩＣチップ２０３の内部電源として、通信アンテナを介してＲＦＩＤタグ２０５に電子情報の書込みを行なうことができる。ＲＦＩＤタグ２０５は、その不揮発性メモリに識別ＩＤを記憶しており、電子情報の書込みは、指定するＩＤを所有するＲＦＩＤタグ２０５に対して行われる。
【００１５】
図３は、記録装置１０１の概略構成を示す断面図であり、図４は、記録装置１０１におけるインクジェット記録ヘッドＨと通信アンテナ３０３との配置関係を模式的に説明するための斜視図である。
【００１６】
記録ヘッドＨの下側には搬送部３０２が配備されている。本例の搬送部３０２は、後述するフィードモータ８０４によって、ローラ３０２Ａ，３０２Ｂ，３０２Ｃの間に掛け渡された無端ベルト３０２Ｄを所定方向（矢印Ｙ方向）に移動させる構成となっている。このような搬送部３０２に対しては、トレイ１０２に積載されたＩＣカード２０１が後述する給送方法によって２００ｍｍ／ｓｅｃの速度で給送され、そのＩＣカード２０１の先端部は記録媒体検知センサ（以下、単に「センサ」ともいう）３０４により検知される。搬送部３０２は、無端ベルト上に載置された少なくとも２枚のＩＣカードを搬送方向の上流側と下流側に位置させて同時に搬送可能である。搬送部３０２は、そのＩＣカード２０１を通信アンテナ３０３の下方の電子情報書込み位置に搬送したときに、その搬送動作を停止する。その電子情報書込み位置において、ＩＣカード２０１のＩＣチップ２０３に対して、通信アンテナ３０３を介して電子情報が書き込まれる。その後、その電子情報が書き込まれたＩＣカード２０１は、搬送部３０２が搬送動作を再開することにより、記録ヘッドＨが備わる記録部１０８に向けて一定速度で矢印Ｙ方向（搬送方向）に搬送される。記録部１０８を通過するＩＣカード２０１に対しては、記録ヘッドＨからインクが吐出され、これによりＩＣカード２０１上に画像が記録される。したがって、記録部１０８は、記録ヘッドＨが位置する画像記録位置に搬送されたＩＣカード２０１に画像を記録する。
【００１７】
本例の記録装置１０１は、記録ヘッドＨとして、ブラック（Ｂｋ），シアン（Ｃ），マゼンタ（Ｍ），イエロー（Ｙ）のインクを吐出する４つのヘッドが備えられている。それらのヘッドには、インクを吐出可能な複数のノズルが形成されており、それらのノズルは、記録媒体の搬送方向（矢印Ｙ方向）と交差（本例の場合は、直交）する方向に配列されてノズル列を形成している。ノズルは、電気熱変換素子（ヒータ）やピエゾ素子などの吐出エネルギー発生素子を用いて、インクを吐出することができる。
【００１８】
記録部１０８において画像が記録されたＩＣカード２０１は、搬送部３０２の搬送動作によって排出部１１０に排出される。記録媒体として、例えば、名刺のようなＩＣチップを備えない記録媒体を使用することもできる。この場合、電子情報の書込みを行なわないため、トレイ１０２から給送される記録媒体は、電子情報書込み位置にて停止することなく搬送部３０２によって連続的に搬送され、記録部１０８にて画像が記録されてから排出部１１０に排出される。搬送部３０２の下には、記録ヘッドＨ（Ｂｋ、Ｃ、Ｍ、Ｙ）に供給するためのインクを貯蓄するタンク部３０１が脱着自在に装着されている。
【００１９】
図５は、給送部１０９の概略構成を示す斜視図であり、図６および図７はその断面図ある。給送部１０９は、トレイ１０２上に積載された記録媒体（ＩＣカード２０１を含む）を１枚ずつピックアップして、搬送部３０２に順次給送する。トレイ１０２は、リフトモータ５０１の回転に応じて昇降する。トレイ１０２の上方位置には、給送可能な記録媒体の表面位置を検知するための紙面フラグ５０４および紙面センサ５０５が配備されている。トレイ１０２の上方位置には、記録媒体を１枚ずつピックアップするためのピックアップローラ５０７と、ピックアップローラ５０７を上下動させるためのピックアップソレノイド５０６が配設されている。ピックアップローラ５０７は、ピックアップソレノイド５０６がＯＮとなったときに下降し、トレイ１０２上に積載された最上位の記録媒体と接触する。ピックアップローラ５０７は、ピックアップモータ５０８によって回転される。５０２は、トレイ１０２の上限位置を検知するための上限センサであり、５０３は、トレイ１０２の下限位置を検知するための下限センサである。本例の給送部１０９は、１００ｍｍ／秒の速度で記録媒体を給送する。
【００２０】
次に、図６および図７を参照して、給送部１０９の給送動作について説明する。
【００２１】
まず、トレイ１０２上に積載された最上位の記録媒体が紙面センサ５０５によって検知されるまで、トレイ１０２を上昇させて、最上位の記録媒体をピックアップ位置にセットする。そして、ピックアップローラ５０７を回転させてから、ピックアップソレノイド５０６をＯＮとする。これにより、ピックアップローラ５０７が下降し、それが最上位の記録媒体に接触して、その記録媒体を給送する。その記録媒体の先端がタイミングセンサ５０９によって検知されたときに、ピックアップソレノイド５０６をＯＦＦとして、ピックアップローラ５０７を上昇させる。その記録媒体が搬送部３０２により搬送されて、その後端がタイミングセンサ５０９によって検知されてから規定時間経過後に、ピックアップローラ５０７を下降させて次の記録媒体を給送する。
【００２２】
このような給送動作を繰り返して複数の記録媒体を給送すると、記録媒体のピックアップ位置は次第に低くなる。そこで、紙面センサ５０５が再び記録媒体を検知するまで、トレイ１０２を約０．５ｍｍずつ繰り返し上昇させて、最上位の記録媒体をピックアップ位置にセットする。さらに給送動作を繰り返した場合には、トレイ１０２上の全ての記録媒体が給送されてトレイ上からなくなる。この場合には、トレイ１０２を上昇させても紙面フラグ５０４がトレイ１０２によって押し上げられないため、紙面センサ５０５は記録媒体を検知しない。そのままトレイ１０２が上昇して、上限センサ５０２がトレイ１０２を検知したときに、操作パネル１０６（図１参照）のエラーランプ１１１を点灯させ、かつＬＣＤ１１２にエラーメッセージを表示して、記録媒体の補充をユーザーに促す。
【００２３】
図８は、記録装置１０１の制御系のブロック構成図である。８０１は、記録装置全体を制御するメインコントローラであり、後述する入力データを格納する格納手段としての機能、およびデータ制御手段、設定手段としての機能などを有する制御手段である。メインコントローラ８０１は、ホストコンピューターＰＣとの間において互いに信号の授受を行なう。８０２は、メインコントローラ８０１に接続されて、制御プログラムなどが格納されるＲＯＭである。メインコントローラ８０１は、それらのプログラムにしたがってＲＡＭ８１２を作業用メモリとして用いて、種々の制御機能を発揮する。ホストコンピューターＰＣからはＲＦＩＤタグ２０５に書き込むデータが転送され、そのデータは、ＲＡＭ８１２に一時的に格納される。メインコントローラ８０１に接続されたＲＦＩＤ通信回路８０９は、通信アンテナ３０３を通して、ＲＡＭ８１２に格納されたデータをＩＣチップ２０３に書き込む。８０６は、ホストコンピューターＰＣから送信されてきた画像データを格納するイメージバッファ（記録データ格納部）であり、８０６Ｂｋは、ブラックの画像データを一時的に格納するブラックイメージバッファである。同様に、８０６Ｃ、８０６Ｍ、８０６Ｙは、それぞれシアン、マゼンタ、シアン、イエローの画像データを一時的に格納するイメージバッファである。
【００２４】
８０３は、記録ヘッドＨのノズルからインクを吐出するための吐出エネルギー発生素子を駆動するための駆動回路である。本例においては、吐出エネルギー発生素子として電気熱変換素子（ヒータ）が用いられている。メインコントローラ８０１に接続されたドライバコントローラ８０７は、イメージバッファに格納されたインク色毎のビットマップ形式の画像データに応じて、ヘッド駆動回路８０３を制御する。これにより、記録ヘッドＨ（Ｂｋ，Ｃ，Ｍ，Ｙ）が画像データに基づいてインクを吐出して、画像を記録する。８０４Ｄは、搬送部３０２を搬送動作させるためのフィードモータ８０４を駆動するモータドライバである。８００は、給送部１０９のトレイ１０２を昇降させるリフトモータ５０１と、記録媒体を給送するピックアップモータ５０８と、を駆動する駆動回路である。これらのドライバ８０４Ｄおよび駆動回路８００は、いずれもメインコントローラ８０１によって制御される。
【００２５】
図９は、ホストコンピューターＰＣの機能を説明するための模式図である。ホストコンピューターＰＣには、入力装置としてキーボード９０１とマウス９０２が接続され、それらから入力された情報は、制御部であるＣＰＵ（不図示）により処理されて、メモリ（不図示）もしくはハードディスク（不図示）に格納される。このような処理を行なうためのオペレーティングシステムは、予めハードディスクに格納されており、ホストコンピューターＰＣの電源投入時に読み込まれて各種の制御を行なう。ホストコンピューターＰＣと記録装置１０１は、ケーブルなどにより情報通信が可能な状態に接続されており、後述の記録コマンドを送信することができる。
【００２６】
次に、ホストコンピューターＰＣを用いた記録画像情報の作成方法について説明する。
【００２７】
記録対象となる画像情報は、ホストコンピューターＰＣのハードディスク内に格納されている専用のアプリケーションソフトによって作成される。そのアプリケーションソフトは、記録装置１０１の機能に適合するものであり、バーコードや続き番号などを処理する機能が備えられている。作成する画像情報の種類によっては、汎用の画像作成アプリケーションソフトを用いることもできる。本例における専用のアプリケーションソフトは、任意の画像情報を画像イメージ９０４としてレイアウトして、ＣＲＴ９０５に表示させた上、記録枚数９１１や用紙サイズ（記録媒体のサイズ）９０６などの各種設定を行なう機能を有する。入力されたカードサイズ９０６はＣＲＴ９０５上の画像イメージ９０４に反映され、その画像イメージ９０４において、矩形９０７、線９０８、文字９０９、イメージ情報９１０などを自由に配置して、それらの大きさや角度などを指定することができる。これらの情報は、操作者の指示により記録装置１０１に送信される。画像情報は、ＣＲＴ９０５上においてはＲＧＢ（レッド、グリーン、ブルーの色要素）で表され、記録装置１０１に送信するときには、ブラック、シアン、マゼンタ、イエローの色要素毎に２値データに変換されて、後述するコマンドの体系とされる。また、専用アプリケーションソフトは、画像情報の他に、ＩＣチップ２０３に記憶させるべき電子情報９０３の編集機能をも備える。このアプリケーションソフト上において指定された電子情報９０３の内容は、後述するコマンドの体系で記録装置１０１に送信される。
【００２８】
次に、図１０および図１１を用いて、ホストコンピューターＰＣから記録装置１０１に送信される記録コマンドについて説明する。記録コマンドとしては、記録媒体のサイズ等を通知する用紙設定コマンド１００１、記録画像の記録領域等を通知するするフォーマットコマンド１００２、および記録画像のイメージデータを通知するデータコマンド１００３が含まれる。さらに記録コマンドとして、ＩＣチップ２０３に書き込む電子情報を通知するデータコマンド１００４、および記録データの終了を示すジョブ開始コマンド１００５も存在する。
【００２９】
用紙設定コマンド１００１において、用紙縦サイズ１００８は、画像記録する記録媒体の縦サイズを指定し、用紙横サイズ１００９は、その記録媒体の横サイズを指定する。フォーマットコマンド１００２において、画像縦領域１０１２はイメージデータの縦サイズを指定し、画像横領域１０１３はイメージデータの横サイズを指定する。また、開始縦座標１０１０および開始横座標１０１１は、記録媒体に対する記録画像の記録開始位置（記録開始座標）を通知し、その記録開始位置を始点として、データコマンド１００３によって指定される記録画像が記録される。
【００３０】
図１１（ａ）の記録画像Ａは、画像縦領域１０１２が４５ｍｍの記録画像１１０１であり、記録媒体のほぼ全体に渡って記録される。一方、図１１（ｂ）の記録画像Ｂは、画像縦領域１０１２が１０ｍｍの記録画像１１０２であり、記録媒体の上方部に対してのみ記録される。
【００３１】
図１２は、記録媒体としてのＩＣカード２０１に対する電子情報の書き込み動作と画像の記録動作の説明図であり、本例においては、記録画像として図１１（ａ），（ｂ）の記録画像Ａ，Ｂを記録する。また、図１２においては、搬送部３０２におけるローラ３０２Ｃおよびフィードモータ８０４の図示が省略されている。
【００３２】
図１２の部分（ａ）において、記録装置１０１は、ホストコンピューターＰＣからの記録指令を待っているアイドル状態にある。
【００３３】
図１２の部分（ｂ）は、記録装置１０１がホストコンピューターＰＣから記録コマンドを受信して、トレイ１０２に積載される１枚目のＩＣカード（先行のＩＣカード）２０１−１を給送し、そのＩＣカード２０１−１が搬送部３０２の入口に到達した状態を示す。２０１−２は、２枚目のＩＤカード（後続のＩＣカード）である。トレイ１０２上のＩＣカード２０１が搬送部３０２の入口に到達するまでの時間Ｔ１（秒）は、下式（１）によって求められる。
【００３４】
Ｔ１＝Ｌ３／Ｓ１      ・・・  （１）
上式（１）において、Ｌ３（ｍｍ）は、トレイ１０２上のＩＣカード２０１が搬送部３０２の入口に到達するための間の距離であり、Ｓ１（ｍｍ／秒）は、給送部１０９によるＩＣカード２０１の給送速度である。本例の場合、Ｌ３＝１０（ｍｍ）であり、Ｓ１＝（１００ｍｍ／秒）であるため、Ｔ１は０．１（秒）である。尚、Ｌ３及びＳ１は本体内に記憶されている固定値である。
【００３５】
図１２の部分（ｃ）は、給送された１枚目のＩＣカード２０１−１が搬送部３０２により矢印Ｙ方向に搬送されて、それが電子情報書込み位置に到達した状態を示す。ＩＣカード２０１は、その中央部を中心とするループ状のループアンテナ２０２を有している。したがって、ＩＣカード２０１−１の中央部が通信アンテナ３０３の中央に位置する電子情報書込み位置に到達した際に、そのＩＣカード２０１−１に電子データが書き込まれる。その電子情報書込み位置における電子データの書き込み時には、搬送部３０２が搬送動作を停止する。  ＩＣカード２０１が搬送部３０２の入口から電子情報書込み位置に到達するまでの時間Ｔ２（秒）は、下式（２）によって求められる。
【００３６】
Ｔ２＝（Ｌ２＋Ｌｐ／２）／Ｓ２      ・・・  （２）
上式（２）において、Ｌ２（ｍｍ）は、搬送部３０２の入口から通信アンテナ３０３の中央部までの間の距離であり、Ｌｐ（ｍｍ）は、用紙縦サイズに相当するＩＣカード２０１の縦サイズであり、Ｓ２（ｍｍ／秒）は、搬送部３０２の搬送速度である。Ｌ２、Ｓ２、およびＬｐは本体内に記憶されている固定値である。尚、通信アンテナ３０３は用紙中央（Ｌｐ／２ｍｍ）の位置に配置される。
【００３７】
説明の便宜上、搬送部３０２の入口に給送されたＩＣカード２０１は、直ちに、搬送部３０２によって速度Ｓ２で搬送されるものとする。本例の場合、Ｌ２＝３０（ｍｍ）、Ｓ２＝（２００ｍｍ／秒）であり、ＩＣカード２０１の縦サイズＬｐが５５ｍｍのときには、Ｔ２が０．２８７５（秒）となる。したがって、トレイ１０２に積載されたＩＣカード２０１が電子情報書込み位置に到達するまでの時間（第２の時間）Ｔｒは、下式（３）によって求められる。尚、Ｓ１よりＳ２のほうが速い理由は、ＩＣカードをＬ３内でたるませないためである。
【００３８】
Ｔｒ＝Ｔ１＋Ｔ２      ・・・  （３）
本例の場合、Ｔｒは０．３８７５（＝０．１＋０．２８７５）（秒）である。
【００３９】
図１２の部分（ｄ）は、ＩＣカード２０１−１に対して記録画像Ａの記録が終了した状態を示す。ＩＣカード２０１−１に電子情報が書込まれた後、搬送部３０２が搬送動作を再開してから、記録画像Ａの記録が終了する記録終了時期までの時間（第１の時間）Ｔｐ（秒）は、下式（４）によって求められる。
【００４０】
Ｔｐ＝｛Ｌ１−（Ｌｐ／２）＋Ｌａ＋Ｌｂ｝／Ｓ２      ・・・（４）
上式（４）において、Ｌ１（ｍｍ）は、電子情報書き込み位置から、矢印Ｙの搬送方向の最も下流側に位置する記録ヘッドＹの記録位置までの間の距離である。Ｌａ（ｍｍ）は、矢印Ｙの搬送方向において、ＩＣカード２０１の先端から画像の記録開始位置までの間の距離（開始縦座標に相当）であり、Ｌｂ（ｍｍ）は、矢印Ｙの搬送方向における記録画像の長さ（画像縦領域に相当）である。説明の便宜上、搬送部３０２は、搬送動作の再開の直後から、ＩＣカード２０１を速度Ｓ２で搬送するものとする。本例の場合、Ｓ２＝２００（ｍｍ／秒）、Ｌ１＝８５（ｍｍ）であり、また、画像Ａ，Ｂのいずれが記録される場合であっても、Ｌｐ＝５５（ｍｍ）、Ｌａ＝５（ｍｍ）である。ただし、画像Ａの場合にはＬｂ＝４５（ｍｍ）であるため、画像Ａを記録するときの時間Ｔｐは０．５３７５（秒）となる。（Ｌｂは変数である）一方、画像Ｂの場合にはＬｂ＝１０（ｍｍ）であるため、画像Ｂを記録するときの時間Ｔｐは、画像Ａを記録するときの時間Ｔｐとは異なる。Ｌ１およびＬａは本体内に記憶されている固定値であり、また、Ｌｂは、記録画像に応じて変化する値であって、制御部により算出される。したがって、第１の時間Ｔｐは、記録画像に応じて変化するＬｂの値を含む変数であり、一方、第２の時間Ｔｒは、前述したように固定値のみを含む定数である。本発明においては、このような変数である第１の時間Ｔｐに基づいて、ＩＣカード２０１の給送タイミングを変更する。
【００４１】
図１２の部分（ｅ）は、ＩＣカード２０１−１に対して記録画像Ｂの記録が終了した状態を示す。ＩＣカード２０１に電子情報が書込まれた後、搬送部３０２が搬送動作を再開してから、記録画像Ｂの記録が終了するまでの時間Ｔｐ（秒）は、記録画像Ａを記録する場合と同様に、上式（４）によって求められる。記録画像Ｂは、Ｌｐ＝５５（ｍｍ）、Ｌａ＝５（ｍｍ）、Ｌｂ＝１０（ｍｍ）であるため、記録画像Ａを記録するときの時間Ｔｐは０．３６２５（秒）となる。
【００４２】
図１３は、ＩＣカード２０１の給送タイミングを決定する給送タイミング決定処理を説明するためのフローチャートである。図１４は、その給送タイミング決定処理により決定された給送タイミングに基づいて、ＩＣカード２０１の給送を制御する給送制御処理を説明するためのフローチャートである。これらの処理は、メインコントローラ８０１が、ＲＯＭ８０２に格納された制御プログラムを、ＲＡＭ８１２を使用し実行することにより実現される。また、これら２つの処理は、記録装置１０１がホストコンピューターＰＣからジョブ開始コマンド１００５を受信することにより実行され、受信した記録コマンドに対応する給紙処理が完了するまで周期的に実行される。
【００４３】
この図１３の給送タイミング決定処理について説明する。
【００４４】
制御部は、まず、１枚目のＩＣカード２０１−１を給送部１０９によって給送し（ステップＳ１）、それを搬送部３０２によって矢印Ｙ方向に搬送する制御を実行する。そのＩＣカード２０１−１が電子情報書込み位置に搬送された後（ステップ８）、搬送部３０２の搬送動作を休止する（ステップ９）。続いて、そのＩＣカード２０１−１に対し電子情報を書込む（ステップＳ２）。電子情報の書込みが終了した後、２枚目以降のＩＣカード２０１−２，２０１−３・・・に関するジョブ開始コマンド１００５を受信しているか否か、つまり処理対象のＩＣカード２０１（記録媒体）として２枚目以降が存在するか否かを判定する（ステップＳ３）。２枚目のＩＣカード２０１−２に関するジョブ開始コマンド１００５を受信しない場合には、次のＩＣカード２０１を給送することなく処理を終了する。
【００４５】
制御部は、次に、２枚目のＩＣカード２０１−２に関するジョブ開始コマンド１００５を受信した場合に、１枚目のＩＣカード２０１−１に関する時間Ｔｐを算出する。その時間Ｔｐは、ＩＣカード２０１−１に対する電子情報の書込みの終了後に搬送部３０２の搬送動作が再開してから、そのＩＣカード２０１−１に対する画像の記録が終了するまでに要する時間である。すなわち、１枚目のＩＣカード２０１−１に関するフォーマットコマンド１００２によって指定される開始縦座標ｌａおよび画像縦領域Ｌｂを用い、前述した式（４）に基づいて、１枚目のＩＣカード２０１−１についての時間Ｔｐを算出する（ステップＳ４）。さらに、２枚目のＩＣカード２０１−２に関するフォーマットコマンド１００２によって指定された縦サイズ１００８（図１０参照）を用い、上式（３）に基づいて、２枚目のＩＣカード２０１−２についての時間Ｔｒを算出する（ステップＳ４）。前述したように、時間Ｔｒは、ＩＣカード２０１をトレイ１０２から電子情報書込み位置まで搬送させるまでに要する時間である。
【００４６】
その後、ＩＣカード２０１−１についての第１の時間Ｔｐと、ＩＣカード２０１−２についての第２の時間Ｔｒと、を比較する。そして、Ｔｐ＜Ｔｒのとき、つまり第１の時間が第２の時間未満のときには、給送開始タイマーを「１」に設定する（ステップＳ６）。一方、Ｔｐ≧Ｔｒのとき、つまり第１の時間が第２の時間以上のときには、第１および第２の時間の差分の「Ｔｐ−Ｔｒ」を給送開始タイマーに設定する（ステップＳ７）。
【００４７】
Ｔｐ＜Ｔｒのときは、先行する１枚目のＩＣカード２０１−１に電子情報が書込まれてから搬送部３０２が搬送動作を再開するときに、同時に、後続の２枚目のＩＣカード２０１−２の給送を開始したとしても問題がない。つまり、図１２の部分（ｄ），（ｅ）のように、２枚目のＩＣカード２０１−２が電子情報書込み位置に到達する前に、１枚目のＩＣカード２０１−１に対する画像の記録が終了するからである。したがって、Ｔｐ＜Ｔｒのときには、先行のＩＣカード２０１−１に電子情報が書込まれてから搬送部３０２が搬送動作を再開するときに、同時に、後続のＩＣカード２０１−２の給送を開始するように、給送開始タイマーを「１」に設定する。一方、Ｔｐ≧Ｔｒのときは、ＩＣカード２０１−１に電子情報が書込まれてから搬送部３０２が搬送動作を再開した後、Ｔｐ−Ｔｒの時間の経過を待ってから、ＩＣカード２０１−２の給送を開始するように、給送開始タイマーを「Ｔｐ−Ｔｒ」に設定する。したがって、搬送部３０２が搬送動作を再開した後、Ｔｐ−Ｔｒの時間の経過した時期がＩＣカード２０１−２を給送する給送タイミングとなる。続いて、休止していた搬送を再開し（ステップ８）、ＩＣカード２０１−１を記録開始位置まで搬送（ステップ９）すると、ＩＣカード２０１−１に画像記録を開始する（ステップ１０）。
【００４８】
次に、図１４の給紙制御処理について説明する。この給紙制御処理は、周期的に実行される割込み処理である。
【００４９】
この給紙制御処理において、制御部（ＣＰＵ）は、ＲＡＭ８１２に構成された後述の給送開始タイマー（不図示）のカウント値に応じて給紙制御処理を実行する。その給送開始タイマーは、上述した、図１３の給送タイミング決定処理によってセットされる。まず、給送開始タイマーのカウント値が「０」であるか否かを判定し（ステップＳ１）、それが「０」でないときは、給送開始タイマーをカウントダウンする（ステップＳ２）。そのカウントダウンされた後の給送開始タイマーのカウント値が「０」のときは、トレイ１０２に積載されたＩＣカード２０１を給送部１０９によって１枚給送する（ステップＳ１３，１４）。その後、給送開始タイマーのカウント値を「０」にリセット（ステップＳ１５）してから、処理を終了する。給送部１０９によって給送されたＩＣカード２０１は、搬送部３０２によって、直ちに矢印Ｙ方向に搬送されるものとする。ステップＳ１３の判定において、カウントダウンされた後の給送開始タイマーのカウント値が「０」ではないときは、ＩＣカード２０１を給送することなく処理を終了する。これによって、図１３の処理を実行しているときでも、優先して図１４の処理を実行する。
【００５０】
このように本実施形態の記録装置によれば、図１２の部分（ｄ），（ｅ）のように、先行のＩＣカード２０１−１に対する画像の記録終了と同時に、後続のＩＣカード２０１−２を電子情報書込み位置に到達させることができる。したがって、ＩＣカードを効率良く発行することができる。
【００５１】
（第２の実施形態）
第１の実施形態の記録装置では、ホストコンピューターＰＣから送信される図１０の開始縦座標１０１０および画像縦領域１０１２を用いて、時間Ｔｐを算出する。前述したように、時間Ｔｐｈは、電子情報の書込みの終了後に搬送部３０２の搬送動作が再開してから、画像の記録が終了するまでに要する時間である。本実施形態においては、ホストコンピューターＰＣから送信されるイメージデータ１０１４を解析して、時間Ｔｐを算出する。
【００５２】
図１５（ａ），（ｂ）は、本実施形態において記録する記録画像の２つの例の説明図である。本例の記録画像ＣおよびＤは、いずれも、記録媒体の縦サイズが５５（ｍｍ）、画像縦領域が４５（ｍｍ）である。しかし、記録画像ＣおよびＤにおいては、背景が黄色であって枠線が黒の文字列データ１３０３と、背景と枠線が透明の文字列データ１３０４と、の配置関係が異なる。そのため、ＩＣカード２０１に対する記録画像ＣおよびＤの記録終了のタイミングは異なる。
【００５３】
図１６（ａ），（ｂ）は、記録画像ＣおよびＤの記録終了のタイミングを説明するための概略平面図である。前述したように、記録装置１０１には、Ｂｋ，Ｃ，Ｍ，Ｙの４つの記録ヘッドＨが一定の間隔（１５ｍｍ）で配備されている。そのため、記録画像Ｃは、画像領域の下部に配置される文字列データ１３０４が記録ヘッドＹを通過した時点で、記録が終了する。一方、記録画像Ｄは、画像領域の上部に配置される文字データ１３０５が記録ヘッドＹを通過した時点で、記録が終了する。したがって記録画像Ｄは、記録画像Ｃよりも早く記録が終了する。
【００５４】
メインコントローラ８０１は、ホストコンピューターＰＣから送信される記録コマンドを解析し、イメージデータを各インク色に対応するイメージバッファ８０６（８０６Ｂｋ，８０６Ｃ，８０６Ｍ，８０６Ｙ）に展開する。その後、ジョブ開始コマンド１００５を受信すると、各イメージバッファ８０６Ｂｋ，８０６Ｃ，８０６Ｍ，８０６Ｙに格納されたイメージデータデータを解析し、各イメージバッファ８０６Ｂｋ，８０６Ｃ，８０６Ｍ，８０６Ｙにおける最終記録位置を検出する。その後、イメージバッファ毎に、画像の記録開始位置と最終記録位置との間の記録間隔Ｌｃ（画像記録領域）を求め、その記録間隔Ｌｃに対して、イメージバッファに対応する記録ヘッド毎のオフセット量Ｌｄを加算する。先頭記録位置は、イメージバッファ毎に共通であり、最終記録位置は、イメージバッファに展開されるイメージデータによって異なる。オフセット量Ｌｄは、イメージバッファに対応する記録ヘッドと、搬送方向（矢印Ｙ方向）の最も上流側に位置して基準となる記録ヘッドＢｋと、の間の配置間隔である。本例の場合、各記録ヘッド間の間隔が１５ｍｍである。そのため、基準となる記録ヘッドＢｋのオフセット量Ｌｄは０、記録ヘッドＣのオフセット量Ｌｄは１５ｍｍ、記録ヘッドＭのオフセット量Ｌｄは３０（＝１５×２）ｍｍ、記録ヘッドＹのオフセット量Ｌｄは４５（＝１５×３）ｍｍである。そして、イメージバッファ８０６Ｂｋ，８０６Ｃ，８０６Ｍ，８０６Ｙのそれぞれに関して求めたＬｃ＋Ｌｄを比較し、それらの中で最も大きい値に基づいて、記録画像の記録終了タイミングを求める。
【００５５】
具体的に、図１７（ａ）の記録画像Ｃの場合、そのイメージデータは、図１７（ｂ），（ｃ），（ｄ），（ｅ）のように、各イメージバッファ８０６Ｂｋ，８０６Ｃ，８０６Ｍ，８０６Ｙに展開される。図１７（ｂ）のイメージバッファ８０６Ｂｋにおいては、文字画像１３０３の枠線が最終記録位置となるため、記録間隔Ｌｃは４５ｍｍとなり、Ｌｃ＋Ｌｄは４５（＝４５＋０）ｍｍとなる。図１７（ｃ），（ｄ）のイメージバッファ８０６Ｃ，８０６Ｍにはイメージデータがないため、それらの記録間隔Ｌｃはいずれも０ｍｍとなり、それらのＬｃ＋Ｌｄは、１５（＝０＋１５）ｍｍおよび３０（＝０＋３９）ｍｍとなる。図１７（ｅ）のイメージバッファ８０６Ｙにおいては、文字画像１３０３の背景データが最終記録位置となるため、記録間隔Ｌｃは４５ｍｍとなり、Ｌｃ＋Ｌｄは９０（＝４５＋４５）ｍｍとなる。よって、記録画像Ｃの記録終了タイミングは、Ｌｃ＋Ｌｄの最大値の９０ｍｍに基づいて求められることになる。
【００５６】
ＩＣカード２０１に対する電子情報の書込み後に搬送部３０２の搬送動作が再開してから、そのＩＣカード２０１に対する画像の記録が終了するまでの時間Ｔｐは、下式（５）によって求められる。
【００５７】
Ｔｐ＝｛Ｌａ＋Ｌｃ＋Ｌｄ＋Ｌ４−（Ｌｐ／２）｝／Ｓ２      ・・・（５）
上式（５）において、Ｌ４（ｍｍ）は、電子情報書き込み位置から記録ヘッドＢｋの記録位置までの間の距離である（図１２参照）。前述したように、Ｌａ（ｍｍ）は、ＩＣカード２０１の先端から画像の記録開始位置までの間の距離（開始縦座標に相当）、Ｌｐ（ｍｍ）は、用紙縦サイズに相当するＩＣカード２０１の縦サイズ、Ｓ２（ｍｍ／秒）は、搬送部３０２の搬送速度である。本例の場合、Ｌａ＝５（ｍｍ）、Ｌ４＝４０（ｍｍ）、Ｌｐ＝５５（ｍｍ）、Ｓ２＝２００（ｍｍ／秒）である。また、記録画像Ｃを記録する場合には、上述したように、Ｌｃ＋Ｌｄが９０（＝４５＋４５）ｍｍとなるため、時間Ｔｐは、０．５３７５（＝｛５＋９０＋４０−（５５／２）｝／２００）秒となる。
【００５８】
その後、前述した第１の実施形態と同様に、先行のＩＣカード２０１−１についての時間Ｔｐと、後続のＩＣカード２０１−２についての時間Ｔｒと、を算出し、それらの比較結果に応じて、後続のＩＣカード２０１−２の給送開始タイミングを決定する。
【００５９】
本実施形態によれば、画像データを解析することにより、より正確に時間Ｔｐを求めることできる。したがって、先行のＩＣカード２０１−１に対する画像の記録終了と同時に、後続のＩＣカード２０１−２を電子情報書込み位置に到達させることができる。
【００６０】
（第３の実施形態）
図１８は、本実施形態の記録装置１００の概略構成を示す断面図であり、図１９は、記録装置１００におけるインクジェット記録ヘッドＨと通信アンテナ３０３との配置関係を模式的に説明するための斜視図である。
【００６１】
前述した第１および第２の実施形態の記録装置においては、通信アンテナ３０３が記録ヘッドＨよりも搬送方向（矢印Ｙ方向）の上流側に配備されている。そのため、通信アンテナ３０３によって電子情報が書き込まれたＩＣカード２０１に対して、記録ヘッドＨにより画像が記録される。一方、本実施形態の記録装置においては、通信アンテナ３０３が記録ヘッドＨよりも搬送方向（矢印Ｙ方向）の下流側に配備されている。したがって、本実施形態の記録装置は、記録ヘッドＨによって画像が記録されたＩＣカード２０１に対して、通信アンテナ３０３によって電子情報が書き込まれる構成となっている。
【００６２】
図２０は、記録媒体としてのＩＣカード２０１に対する電子情報の書き込み動作と画像の記録動作の説明図である。前述したように、ＩＣカード２０１は、その中央部を中心とするループ状のループアンテナ２０２を有しており、ＩＣカード２０１の中央部が通信アンテナ３０３の中央に位置する電子情報書き込み位置において、そのＩＣカード２０１に電子データが書き込まれる。記録位置の手前の検出位置に備わるセンサ３０４がＩＣカード２０１の先端を検出してから、そのＩＣカード２０１が電子情報書込み位置に到達するまでに要する時間（第１の時間）Ｔｒ１（秒）は、下式（６）によって求められる。
【００６３】
Ｔｒ１＝（Ｌ１２＋Ｌｐ／２）／Ｓ２      ・・・  （６）
上式（６）において、Ｌ１２（ｍｍ）は、センサ３０４と通信アンテナ３０３の中央部との間の距離である。また、前述した実施形態と同様に、Ｌｐ（ｍｍ）は、用紙縦サイズに相当するＩＣカード２０１の縦サイズであり、Ｓ２（ｍｍ／秒）は、搬送部３０２の搬送速度である。本例の場合、Ｌ１２＝１０５（ｍｍ）、Ｓ２＝（２００ｍｍ／秒）であるため、Ｌｐ＝５５（ｍｍ）のＩＣカード２０１を処理対象とするときには、Ｔｒ１は０．６６２５（秒）となる。
【００６４】
図２０の部分（ｄ）は、後続のＩＣカード２０１−２が画像の記録開始位置まで搬送された状態を示す。尚、トレイ１０２上のＩＣカード２０１を搬送部３０２の入口まで給送するために要する時間Ｔ１（秒）は、前述した第１の実施形態の場合と同様に、式（１）によって求められる。本実施形態の記録装置１００においては、Ｌ３＝１０（ｍｍ）、Ｓ１＝（２５ｍｍ／秒）であるため、Ｔ１は０．４（秒）である。また、ＩＣカード２０１が搬送部３０２の入口から画像の記録位置に到達するまでの時間Ｔ１２（秒）は、下式（７）によって求められる。
【００６５】
Ｔ１２＝（Ｌ１１＋Ｌａ）／Ｓ２      ・・・  （７）
Ｌａ（ｍｍ）は、前述した第１の実施形態の場合と同様に、ＩＣカード２０１の先端から画像の記録開始位置までの間の距離（開始縦座標に相当）である。本例の場合、Ｌ１１＝３０（ｍｍ）、Ｓ２＝（２００ｍｍ／秒）であるため、Ｌａ＝５（ｍｍ）のＩＣカード２０１を処理対象とするときには、Ｔ１２は０．１７５（秒）となる。よって、トレイ１０２上のＩＣカード２０１が画像の記録開始位置に到達するまでの時間（第２の時間）Ｔｐ１は、下式（８）によって求められる。
【００６６】
Ｔｐ１＝Ｔ１＋Ｔ１２      ・・・  （８）
図２０の部分（ｄ）のように、Ｌａ＝５（ｍｍ）のＩＣカード２０１を処理対象とするときには、Ｔｐ１が０．５７５（秒）となる。また、図２０の部分（ｅ）のように、Ｌａ＝３０（ｍｍ）のＩＣカード２０１を処理対象とするときには、Ｔｐ１が０．７（秒）となる。
【００６７】
図２１は、ＩＣカード２０１の給送タイミングを決定する給送タイミング決定処理を説明するためのフローチャートである。
【００６８】
まず、１枚目のＩＣカード２０１−１を給送部１０９によって給送し（ステップＳ２１）、それを搬送部３０２により矢印Ｙ方向に搬送して、そのＩＣカード２０１−１のセンサ３０４による検出を待つ（ステップＳ２２）。給送部１０９によって搬送部３０２の入口に給送されたＩＣカード２０１は、搬送部３０２によって、直ちに矢印Ｙ方向に搬送されるものとする。センサ３０４がＩＣカード２０１−１を検出したときに、２枚目以降のＩＣカード２０１−２，２０１−３・・・に関するジョブ開始コマンド１００５を受信しているか否かを判定する（ステップＳ２３）。つまり、処理対象のＩＣカード２０１（記録媒体）として２枚目以降が存在するか否かを判定する。２枚目のＩＣカード２０１−２に関するジョブ開始コマンド１００５を受信しない場合には、次のＩＣカード２０１を給送することなく処理を終了する。
【００６９】
２枚目のＩＣカード２０１−２に関するジョブ開始コマンド１００５を受信した場合には、１枚目のＩＣカード２０１−１について、トレイ１０２から電子情報書込み位置まで搬送させるまでに要する時間Ｔｒ１を算出する（ステップＳ２４）。さらに、２枚目のＩＣカード２０１−２について、トレイ１０２上のＩＣカード２０１−２が画像の記録開始位置に到達するまでの時間Ｔｐ１を算出する（ステップＳ２４）。すなわち、２枚目のＩＣカード２０１−２に関するフォーマットコマンド１００２によって指定された開始縦座標１０１０（図１０参照）を用いて、２枚目のＩＣカード２０１−２についての時間Ｔｐ１を算出する（ステップＳ２４）。
【００７０】
その後、ＩＣカード２０１−１についての時間Ｔｒ１と、ＩＣカード２０１−２についての時間Ｔｐ１と、を比較する。そして、Ｔｐ１＞Ｔｒ１のときには給送開始タイマーを「１」に設定し（ステップＳ２６）、Ｔｐ１≦Ｔｒ１のときには給送開始タイマーを「Ｔｒ１−Ｔｐ１」を設定する（ステップＳ２７）。Ｔｐ１＞Ｔｒ１のときは、先行する１枚目のＩＣカード２０１−１がセンサ３０４の位置に到達した時点において、後続の２枚目のＩＣカード２０１−２の給送を開始したとしても問題がない。つまり、図２０の部分（ｄ），（ｅ）のように、２枚目のＩＣカード２０１−２が画像の記録に到達する前に、１枚目のＩＣカード２０１−１が電子情報書き込み位置に到達するからである。したがって、Ｔｐ１＞Ｔｒ１のときには、先行のＩＣカード２０１−１がセンサ３０４の位置に到達したときに、後続のＩＣカード２０１−２の給送を開始するように、給送開始タイマーを「１」に設定する。１枚目のＩＣカード２０１−１が電子情報書き込み位置に到達したときには、前述した実施形態と同様に、搬送部３０２が搬送動作を一時的に休止する。一方、Ｔｐ１≦Ｔｒ１のときは、ＩＣカード２０１−１がセンサ３０４の位置に到達してから、「Ｔｒ１−Ｔｐ１」の時間の経過を待ってから、ＩＣカード２０１−２の給送を開始するように、給送開始タイマーを「Ｔｒ１−Ｔｐ１」に設定する。
【００７１】
このように本実施形態の記録装置によれば、図２０の部分（ｄ），（ｅ）のように、先行のＩＣカード２０１−１が電子情報書き込み位置に到達すると同時に、後続のＩＣカード２０１−２を画像の記録位置に到達させることができる。したがって、ＩＣカードを効率良く発行することができる。
【００７２】
（他の実施形態）
前述した実施形態では、通信アンテナ３０３の中央部とＩＣカード２０１の中央部とが対向する位置を電子情報書込み位置とした。しかし、本発明はこの限りではなく、例えば、ＩＣカード２０１の先端部が通信アンテナ３０３の中央部と対向する位置を電子情報書込み位置としてもよい。
【００７３】
また前述した実施形態では、ＩＣカードの給送時および搬送時に、ローラの滑り等に起因する給送遅延および搬送遅延が生じないものとして説明した。しかし、そのような給送遅延および搬送遅延が生じる場合には、それらの遅延時間を考慮して、ＩＣカードの給送タイミングおよび搬送タイミングを最適に設定することができる。また前述した実施形態の説明においては、ＩＣカードに電子情報が書込まれた後に、そのＩＣカードの搬送を再開する際の加速度と、ＩＣカードを電子情報書込み位置に停止させる際の減速度と、について言及しなかった。ＩＣカードの給送タイミングおよび搬送タイミングは、これらの加速度および減速度に応じて最適に設定することができる。
【００７４】
また記録部は、インクジェット記録ヘッドを用いることにより、ＩＣカードを高速搬送中に画像を記録することができる。また、ＩＣカードに対する電子データの書込み時には、必ずしもＩＣカードの搬送動作を停止させる必要はない。つまり、ＩＣカードが停止中のみならず、それが画像の記録時よりも低速度で搬送中のときに電子データを書き込みこともできる。
【００７５】
また、本発明においては、記録装置に接続されるホスト装置が前述した記録装置の機能の少なくとも一部を持つように構成してもよい。また、本発明の形態としては、上述した記録装置におけるＩＣカードの給送タイミングの制御をコンピュータによって実施するためのプログラム、および、そのプログラムを格納した記憶媒体を含むことができる。
【符号の説明】
【００７６】
１００，１０１  記録装置
１０２  トレイ
１０８  記録部
１０９  給紙部
２０１  ＩＣカード（記録媒体）
２０２  ループアンテナ
２０３  ＩＣチップ
３０２  搬送部
３０３  通信アンテナ
３０４  用紙センサ
３０５  搬送ローラ
Ｂｋ  記録ヘッド（ブラック）
Ｃ  記録ヘッド（シアン）
Ｍ  記録ヘッド（マゼンタ）
Ｙ  記録ヘッド（イエロー）
５０５  紙面センサ
８０１  メインコントローラ
８０２  ＲＯＭ
【図１】
2012146181.tif 000003
【図２】
2012146181.tif 000004
【図３】
2012146181.tif 000005
【図４】
2012146181.tif 000006
【図５】
2012146181.tif 000007
【図６】
2012146181.tif 000008
【図７】
2012146181.tif 000009
【図８】
2012146181.tif 000010
【図９】
2012146181.tif 000011
【図１０】
2012146181.tif 000012
【図１１】
2012146181.tif 000013
【図１２】
2012146181.tif 000014
【図１３】
2012146181.tif 000015
【図１４】
2012146181.tif 000016
【図１５】
2012146181.tif 000017
【図１６】
2012146181.tif 000018
【図１７】
2012146181.tif 000019
【図１８】
2012146181.tif 000020
【図１９】
2012146181.tif 000021
【図２０】
2012146181.tif 000022
【図２１】
2012146181.tif 000023